(57)【特許請求の範囲】
【請求項１】
容器本体の口部に打栓により装着固定される酸素吸収キャップであって、
基材樹脂を９０〜９９重量％、酸素欠損を有する酸化チタンを１〜１０重量％含んで構成し、酸素を吸収し、変色する、単層のプルオープンキャップである
ことを特徴とする酸素吸収キャップ。
【請求項２】
前記基材樹脂は、ポリオレフィン系樹脂であることを特徴とする請求項１記載の酸素吸収キャップ。
【発明の詳細な説明】
【技術分野】
【０００１】
本発明は、ドレッシングやたれ等の内容物を収容する容器本体の口部に装着固定される酸素吸収キャップに関する。
【背景技術】
【０００２】
内容物を容器本体に充填して容器本体を長時間放置すると、容器本体の内部に酸素が透過し、内容物が酸化劣化してしまう。このため、近年では、内容物の酸化劣化を防止するために酸素吸収性能を有する容器本体が開発されている。
【０００３】
なお、容器本体の口部に装着固定されるキャップは、ポリエチレン（ＰＥ）やポリプロピレン（ＰＰ）等のポリオレフィン系樹脂で成形するのが主流である。しかし、ポリオレフィン系樹脂は、酸素吸収性能がないため、キャップから容器本体への酸素侵入を防止できない。その結果、キャップから容器本体に侵入した酸素により、内容物が酸化劣化してしまう。このため、キャップにも酸素吸収性能を持たせ、キャップから容器本体への酸素侵入を防止する必要がある。
【０００４】
なお、特許文献１には、酸素欠損を有する酸化チタンを添加した酸素吸収層を含んで構成する積層構成の酸素吸収性積層材料を、包装体の蓋材として使用し、酸素の吸収性能を向上させる点について開示されている。
【先行技術文献】
【特許文献】
【０００５】
【特許文献１】特開２００６−９５８３２号公報
【発明の概要】
【発明が解決しようとする課題】
【０００６】
上記特許文献１に開示されている酸素吸収層は、酸素吸収層に添加された酸素欠損を有する酸化チタンが酸素と結合することで酸素を吸収することになる。しかし、酸素吸収層に添加される酸素欠損を有する酸化チタンの添加量には制限があるため、酸素を吸収できる量や期間も制限されてしまうことになる。即ち、酸素吸収層の酸素吸収能力にも寿命がある。なお、上記特許文献１に開示されている蓋材は、上記の酸素吸収層を用いて構成するため、酸素を吸収することができる。しかし、上記特許文献１の蓋材は、酸素を吸収したとしても、蓋材が酸素を吸収したか否かを目視で確認することができない。その結果、特許文献１の蓋材では、蓋材の酸素吸収能力の寿命を目視で把握することができないことになる。
【０００７】
本発明は、上記事情に鑑みてなされたものであり、酸素吸収性能を持たせると共に、酸素を吸収したか否かを目視で確認することが可能な酸素吸収キャップを提供することを目的とする。
【課題を解決するための手段】
【０００８】
かかる目的を達成するために、本発明は、以下の特徴を有することとする。
【０００９】
本発明に係る酸素吸収キャップは、容器本体の口部に打栓により装着固定される酸素吸収キャップであって、基材樹脂を９０〜９９重量％、酸素欠損を有する酸化チタンを１〜１０重量％含んで構成し、酸素を吸収し、変色する、単層のプルオープンキャップであることを特徴とする。
【発明の効果】
【００１０】
本発明によれば、酸素吸収性能を持たせると共に、酸素を吸収したか否かを目視で確認することができる。
【図面の簡単な説明】
【００１１】
【図１】本実施形態の容器の構成例を示す図である。
【図２】本実施形態の酸素吸収キャップの上蓋を開けた状態であり、（ａ）は上面図、（ｂ）は断面図である。
【発明を実施するための形態】
【００１２】
＜容器１００の構成例＞
まず、図１を参照しながら、本実施形態の容器１００について説明する。
本実施形態の容器１００は、酸素吸収キャップ１と、容器本体２と、を有して構成する。
【００１３】
酸素吸収キャップ１は、基材樹脂と酸素欠損を有する酸化チタンとを含んで構成し、容器本体２の口部に装着固定される。
【００１４】
容器本体２は、油、ドレッシング等の内容物を収容するものである。容器本体２を構成する材料は特に限定せず、公知の材料が適用可能である。また、容器本体２は、単層構造や多層構造で構成することができる。なお、容器本体２にガスバリア性を持たせる場合は、ガスバリア性樹脂で構成することが好ましい。ガスバリア性樹脂としては、ポリエステル、ポリアミド、ポリアクリロニトリル、ポリビニルアルコール、エチレン-ビニルアルコール共重合体またはポリ塩化ビニリデンなどが挙げられる。
【００１５】
＜酸素吸収キャップ１の構成例＞
次に、図２を参照しながら、本実施形態の酸素吸収キャップ１の構成例について説明する。図２は、プルオープンキャップの構成例を示す。
本実施形態の酸素吸収キャップ１は、容器本体２の口部に装着固定されるキャップ本体３と、キャップ本体３にヒンジ部３ａを介して連結された上蓋４と、を有して構成する。キャップ本体３は、外筒部９と内筒部１０とを含み、内筒部１０の内部に容器本体２の口部を密封する天面壁５を有する。この天面壁５に注出用開口を形成するための薄肉の弱化部６が形成されている。本実施形態の酸素吸収キャップ１を図２に示すプルオープンキャップで構成した場合は、容器本体２の口部に打栓により装着固定される。その際、キャップ本体３の内筒部１０は図示しない容器本体２の口部内に圧入される。
【００１６】
弱化部６は、天面壁５に設けられており、天面壁５上に延在し、開口予定部７を画定している。そして、開口予定部７の表面には開口予定部７の引きちぎり手段の一例であるプルリング８がその支柱部外壁を弱化部６に連続させるように一体に設けられており、このプルリング８を引っ張り、弱化部６を引きちぎって、開口予定部７を除去することができるようになっている。
【００１７】
本実施形態の酸素吸収キャップ１は、基材樹脂と、酸素欠損を有する酸化チタンと、を含んで構成する。
【００１８】
基材樹脂としては、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂を用いることが好ましい。他に、スチレン−ブタジエン−スチレンブロックコポリマー、スチレン−エチレン−ブチレン−スチレンブロックコポリマー等の熱可塑性エラストマーを用いることも可能である。
【００１９】
酸素欠損を有する酸化チタンとしては、ルチルやブルッカイト等の結晶形や非結晶、アナターゼの結晶形などを用いることが好ましい。酸素欠損を有する酸化チタンは、基材樹脂への練り込みが容易である。また、電子レンジで加熱しても、スパーク・発火のおそれがない。また、酸素を吸収すると白色化するため、インジケーター機能を有することになる。また、金属検査機に反応せず、水分が存在すると、酸素吸収が促進され、鉄系と比較して、低湿度での酸素吸収性能が高い。
【００２０】
本実施形態の酸素吸収キャップ１は、基材樹脂を９０〜９９重量％、酸素欠損を有する酸化チタンを１〜１０重量％含んで構成することが好ましい。酸化チタンが１重量％未満の場合は、酸素吸収キャップ１の酸素吸収性能が低下すると共に、酸素吸収キャップ１が酸素を吸収しても酸素吸収キャップ１が変色せず、酸素吸収キャップ１が酸素を吸収したか否かを目視で確認することができないためである。また、酸化チタンが１０重量％より多いと、キャップとしての強度を維持できず、キャップの耐性が低下するためである。このため、酸素吸収キャップ１は、酸素欠損を有する酸化チタンを１〜１０重量％の範囲で含んで構成することが好ましい。
【００２１】
このように、本実施形態の酸素吸収キャップ１は、酸素欠損を有する酸化チタンを１〜１０重量％含んで構成するため、酸素吸収キャップ１自体に酸素吸収性能を持たせ、酸素吸収キャップ１から容器本体２への酸素侵入を防止することができる。
【００２２】
なお、本実施形態の容器１００は、容器本体２から内容物を外部に流出させる際に、酸素吸収キャップ１の上蓋４を開き、内容物を外部に流出した後に、上蓋４を閉じることになる。このため、上蓋４を閉じると、容器本体２の中の内容物と酸素吸収キャップ１との間に、空気中の酸素が入ることになる。しかし、本実施形態の酸素吸収キャップ１は、酸素吸収性能を有するため、酸素を吸収し、内容物の酸化劣化を防止することができる。また、酸素を吸収した場合は、酸素吸収キャップ１自体が変色するため、酸素吸収キャップ１が酸素を吸収したか否かを目視で確認することができる。その結果、酸素吸収キャップ１の酸素吸収能力の寿命を目視で把握することができる。
【実施例】
【００２３】
次に、本実施形態の酸素吸収キャップ１の実施例について説明する。なお、以下に示す実施例は一例であり、本実施形態の酸素吸収キャップ１は、以下の実施例に限定するものではない。
【００２４】
（実施例１）
実施例１では、酸素吸収キャップ１を構成する基材樹脂としてポリエチレン（ＰＥ）を使用した。
【００２５】
まず、酸素欠損を有する酸化チタン（ＴｉＯｘ（ｘは２未満の値））と低密度ポリエチレン（ＬＤＰＥ）で構成されたマスターバッチ（ＬＤＰＥとＴｉＯｘとの混合比がＬＤＰＥ：ＴｉＯｘ＝７：３）をＰＥに混ぜ合わせ、ＰＥと、ＬＤＰＥと、ＴｉＯｘと、の混合比が、ＰＥ：ＬＤＰＥ：ＴｉＯｘ＝９０：７：３となる混合樹脂を形成し、その混合樹脂を用いて図２に示す酸素吸収キャップ１を射出成形により成形した。
【００２６】
上記成形した酸素欠損を有する酸化チタンを３重量％含んだ酸素吸収キャップ１の酸素吸収能力を測定すると、酸素吸収能力は、２２．６ｃｃ/gであった。酸素吸収能力は、以下の方法で測定した。
【００２７】
上記成形した酸素吸収キャップ１の一部を試験片とし、その試験片を２６０ｍｌの瓶に水５０ｍｇと共に投入して蓋をして密閉し、５５℃の環境条件で５日間放置した後に、試験片の酸素吸収性能をガスクロマトグラフィー（ＧＣ）で測定した。なお、５日間放置した試験片は、白色化し、変色した。このため、酸素吸収キャップ１が酸素を吸収したことを目視で確認することができた。
【００２８】
（実施例２）
実施例２では、酸素吸収キャップ１を構成する基材樹脂としてポリプロピレン（ＰＰ）を使用した。それ以外は、実施例１と同様である。
【００２９】
実施例２の酸素吸収キャップ１の酸素吸収能力を測定すると、酸素吸収能力は、実施例１と同様に、２２．６ｃｃ/gであった。酸素吸収能力の測定方法は、実施例１と同様である。また、実施例２の酸素吸収キャップ１も実施例１と同様に、白色化し、変色した。このため、酸素吸収キャップ１が酸素を吸収したことを目視で確認することができた。
【００３０】
なお、上述した実施形態及び実施例は、本発明の好適な実施形態及び実施例であり、上記実施形態及び実施例のみに本発明の範囲を限定するものではなく、本発明の要旨を逸脱しない範囲において種々の変更を施した形態での実施が可能である。
【００３１】
例えば、本実施形態では、酸素吸収キャップ１として、図２に示すプルオープンキャップを例に説明したが、図２に示すプルオープンキャップに限定するものではなく、開閉式でないキャップや蓋等で構成することも可能である。
【符号の説明】
【００３２】
１００    容器
１    酸素吸収キャップ
２    容器本体
３    キャップ本体
４    上蓋
【図１】
0005831127.tif 000002
【図２】
0005831127.tif 000003